(57)【要約】【課題】実装ケース入り電気光学装置において、周囲の温度環境にかかわらず、高品質な画像を表示することの可能にする。【解決手段】投射光が入射される電気光学装置（５００）と、該電気光学装置の一面に対向するように配置されるプレート（６１０）と、前記電気光学装置を覆い前記プレートと当接する部位を有するカバー（６２０）とからなり、前記電気光学装置の少なくとも一部を前記のプレート及びカバーの少なくとも一方で保持して当該電気光学装置を収納する実装ケース（６０１）とを備えた実装ケース入り電気光学装置であって、前記カバーにおける前記当接する部位の少なくとも一部には突起部が形成され、前記プレートには前記突起部と嵌合可能なカバー部固定孔（６１２ａ及び６１２ｂ）が形成されている。【選択図】      図４
2004198936.tif 000002
【特許請求の範囲】
【請求項１】
画像表示領域に光源から投射光が入射される電気光学装置と、
該電気光学装置の一面に対向するように配置されるプレートと、前記電気光学装置を覆い前記プレートと当接する部位を有するカバーとからなり、前記電気光学装置における前記画像表示領域の周辺に位置する周辺領域の少なくとも一部を前記プレート及び前記カバーの少なくとも一方で保持して当該電気光学装置を収納する実装ケースとを備えた実装ケース入り電気光学装置であって、
前記カバーにおける前記当接する部位の少なくとも一部には第１凸部及び第１凹部の少なくとも一方が形成されてなり、
前記プレートには前記第１凸部と嵌合可能な第２凹部及び前記第１凹部と嵌合可能な第２凸部の少なくとも一方が形成されていることを特徴とする実装ケース入り電気光学装置。
【請求項２】
前記第２凹部又は前記第２凸部は、それぞれ、前記プレートにおいて併せて２個以上形成された凹部又は凸部を含んでいることを特徴とする請求項１に記載の実装ケース入り電気光学装置。
【請求項３】
前記２個以上形成された凹部又は凸部の中には、平面視して第１面積となる第１形状を有するものと、前記第１面積よりも大きい第２面積となる第２形状を有するものとが含まれていることを特徴とする請求項２に記載の実装ケース入り電気光学装置。
【請求項４】
前記第１形状は、平面視して円形状を含み、
前記第２形状は、平面視して、第１半円形状、第２半円形状、並びに前記第１半円形状及び前記第２半円形状の直径部分に連接される矩形状を併せて観念される長円形状を含むことを特徴とする請求項３に記載の実装ケース入り電気光学装置。
【請求項５】
前記円形状を有する凹部又は凸部と、前記長円形状を有する凹部又は凸部とは、同一の直線上にのるように形成されており、且つ、前記直線の延在方向は前記長円形状を有する凹部又は凸部の長手方向に一致するように形成されていることを特徴とする請求項４に記載の実装ケース入り電気光学装置。
【請求項６】
前記第２凹部は、前記プレートを貫通して設けられた貫通孔部を含むことを特徴とする請求項１乃至５のいずれか一項に記載の実装ケース入り電気光学装置。
【請求項７】
前記第１凸部及び前記第２凸部の少なくとも一方の先端における角部は、まるめられていることを特徴とする請求項１乃至６のいずれか一項に記載の実装ケース入り電気光学装置。
【請求項８】
前記第１凹部及び前記第２凹部の少なくとも一方の縁における角部は、まるめられていることを特徴とする請求項１乃至７のいずれか一項に記載の実装ケース入り電気光学装置。
【請求項９】
前記第１凸部及び前記第２凸部の少なくとも一方は、前記カバー及び前記プレートの少なくとも一方と一体的に形成されていることを特徴とする請求項１乃至８のいずれか一項に記載の実装ケース入り電気光学装置。
【請求項１０】
前記第１凸部及び前記第２凸部の少なくとも一方は、前記カバー及び前記プレートの少なくとも一方と別体として形成されていることを特徴とする請求項１乃至９のいずれか一項に記載の実装ケース入り電気光学装置。
【請求項１１】
前記カバーは、前記電気光学装置を収容するカバー本体部及び該カバー本体部に接続されてなる突端部からなり、
前記第１凸部及び前記第１凹部の少なくとも一方は、前記突端部に形成されていることを特徴とする請求項１乃至１０のいずれか一項に記載の実装ケース入り電気光学装置。
【請求項１２】
画像表示領域に光源から投射光が入射される電気光学装置の一面に対向するように配置されるプレートと、前記電気光学装置を覆い前記プレートと当接する部位を有するカバーとからなり、前記電気光学装置における前記画像表示領域の周辺に位置する周辺領域の少なくとも一部を前記プレート及び前記カバーの少なくとも一方で保持して当該電気光学装置を収納する実装ケースであって、
前記カバーにおける前記当接する部位の少なくとも一部には第１凸部及び第１凹部の少なくとも一方が形成されてなり、
前記プレートには前記第１凸部と嵌合可能な第２凹部及び前記第１凹部と嵌合可能な第２凸部の少なくとも一方が形成されていることを特徴とする実装ケース。
【請求項１３】
請求項１乃至１０のいずれか一項に記載の実装ケース入り電気光学装置と、
前記光源と、
前記投射光を前記電気光学装置に導く光学系と、
前記電気光学装置から出射される投射光を投射する投射光学系と
を備えたことを特徴とする投射型表示装置。
【発明の詳細な説明】
【０００１】
【発明の属する技術分野】
本発明は、液晶プロジェクタ等の投射型表示装置にライトバルブとして用いられる液晶パネル等の電気光学装置を実装するための実装ケース、また該実装ケースに当該電気光学装置が実装或いは収容されてなる実装ケース入り電気光学装置、及びこのような実装ケース入り電気光学装置を備えてなる投射型表示装置の技術分野に属する。
【０００２】
【背景技術】
一般に、液晶パネルを液晶プロジェクタにおけるライトバルブとして用いる場合、該液晶パネルは、液晶プロジェクタを構成する筐体等にいわば裸の状態で設置されるのではなく、該液晶パネルを適当な実装ケースに実装ないし収容した上で、この実装ケース入り液晶パネルを、前記筐体等に設置することが行われる。これは、当該実装ケースに適当なねじ孔等を設けておくことで、液晶パネルの前記筐体等に対する固定、取り付けを容易に実施することなどが可能となるからである。
【０００３】
このような液晶プロジェクタでは、光源から発せられた光源光は、当該実装ケース入り液晶パネルに対して集光された状態で投射されることになる。そして、液晶パネルを透過した光は、スクリーン上に拡大投射されて画像の表示が行われることになる。このように液晶プロジェクタにおいては、拡大投射が一般に予定されているため、前記光源光としては、例えばメタルハライドランプ等の光源から発せられる比較的強力な光が使用されることになる。
【０００４】
すると、まず、実装ケース入り液晶パネル、とりわけ液晶パネルの温度上昇が問題となる。すなわち、このような温度上昇が生じると、液晶パネル内において一対の透明基板間に挟持されている液晶の温度も上昇して、該液晶の特性劣化を招く。また特に光源光にむらがあった場合には、部分的に液晶パネルが加熱されて所謂ホットスポットが発生して、液晶の透過率のムラができて投射画像の画質が劣化する。
【０００５】
このような液晶パネルの昇温を防止する技術としては、例えば特許文献１等に開示されているものが知られている。この特許文献１では、液晶パネル及び該液晶パネルを収容保持するとともに放熱板が備えられたパッケージからなる液晶表示モジュールにおいて、前記液晶パネル及び前記放熱板間に放熱シートを設けることにより、液晶パネルの昇温を防止する技術が開示されている。また、その他にも、光源と液晶パネルとの間に熱線カットフィルタを配置して不要な赤外線の入射を低減したり、液晶パネルを空冷又は液冷する等の技術も知られている。
【０００６】
【特許文献１】
再表ＷＯ９８／３６３１３
【０００７】
【発明が解決しようとする課題】
しかしながら、従来における液晶パネルの昇温防止対策には次のような問題点がある。すなわち、光源光からの強力な光が投射される限り、液晶パネルの温度上昇の問題は常に顕在化するおそれがあるから、更なる高画質化等を図るためには、上記各種の対策に代えて又は加えて、より効率的な温度上昇の防止対策が要求されているという点である。
また、前述した実装ケース入り液晶パネルにおいては、液晶パネルそれ自体における温度上昇が問題となる他、該液晶パネルと実装ケースとの関係についても問題がある。すなわち、液晶パネルを構成する前記透明基板は、例えば石英ガラスやネオセラム等の比較的線膨張係数の小さい材料から構成され、前記実装ケースは、例えば金属等の比較的線膨張係数の大きい材料から構成されることが一般的に行われている。しかしながら、これでは、同じ光照射（エネルギ照射）を受けたとしても、透明基板よりも実装ケースの方がより大きく膨張するなどということが生じうる。すると、実装ケース内の所定位置に収納されているべき液晶パネルが、実装ケースの膨張に応じて位置ずれを起こす可能性がでてくることになる。このようになると、液晶パネルが、光源光の集光点からずれることになるから、スクリーン上に正確な拡大投射を行うことが困難となる。
【０００８】
本発明は、上記問題点に鑑みてなされたものであり、周囲の温度環境にかかわらず、高品質な画像を表示することの可能な実装ケース入り電気光学装置及びこれを備えてなる投射型表示装置を提供することを課題とする。また、本発明は、そのような目的を達成し得る実装ケースを提供することをも課題とする。
【０００９】
【課題を解決するための手段】
本発明の実装ケース入り電気光学装置は、上記課題を解決するため、画像表示領域に光源から投射光が入射される電気光学装置と、該電気光学装置の一面に対向するように配置されるプレートと、前記電気光学装置を覆い前記プレートと当接する部位を有するカバーとからなり、前記電気光学装置における前記画像表示領域の周辺に位置する周辺領域の少なくとも一部を前記プレート及び前記カバーの少なくとも一方で保持して当該電気光学装置を収納する実装ケースとを備えた実装ケース入り電気光学装置であって、前記カバーにおける前記当接する部位の少なくとも一部には第１凸部及び第１凹部の少なくとも一方が形成されてなり、前記プレートには前記第１凸部と嵌合可能な第２凹部及び前記第１凹部と嵌合可能な第２凸部の少なくとも一方が形成されている。
【００１０】
本発明の実装ケース入り電気光学装置によれば、画像表示領域に光源から投射光が入射される電気光学装置が、カバー及びプレートからなる実装ケース内に実装される。このような電気光学装置としては、例えば投射型表示装置におけるライトバルブとして実装される液晶装置或いは液晶パネルが挙げられる。なお、このような実装ケースには、電気光学装置の周辺領域を少なくとも部分的に覆うことにより、当該周辺領域における光抜けを防止したり或いは周辺領域から画像表示領域内に迷光が進入するのを防止する遮光機能を持たせてもよい。
【００１１】
そして、本発明では特に、前記カバーにおける前記当接する部位の少なくとも一部には第１凸部及び第１凹部の少なくとも一方が形成されてなり、前記プレートには前記第１凸部と嵌合可能な第２凹部及び前記第１凹部と嵌合可能な第２凸部の少なくとも一方が形成されている。なお、本発明及びその各種態様に関する説明の中では、簡単にするため、カバー側には第１凸部のみが形成されており、プレート側には第２凹部のみが形成されている場合（ただし、第１凸部及び第２凹部のそれぞれは、後述の２個以上の凸部及び２個以上の凹部を含みうる）を想定した説明を行う。
【００１２】
本発明では、このような第１凸部及び第２凹部を利用することにより、カバー及びプレートの組み付けを容易に行うことができる。例えば、まず、プレートの上に電気光学装置を載置した後、カバー上に形成された前記第１凸部を、前記プレート上に形成された第２凹部に嵌合させるように、該カバーを、前記のプレート上に載置された電気光学装置に被せていけば、カバー及びプレートの組み付け、すなわち実装ケース内への電気光学装置の収容を容易に行うことができるのである。この際、カバー及びプレートそれぞれが採るべき所定の相対的な配置関係は、カバー上における第１凸部及びプレート上における第２凹部の形成位置を予め適当に調整しておくことによって、容易に定められることになる。つまり、この場合、第１凸部及び第２凹部の嵌合にのみ気をつけておけば、カバー及びプレートの位置決めも、殆ど自動的に行われることになるのである。
【００１３】
また、前記のような組み付け作業後、カバーとプレートとは、第１凸部及び第２凹部間の嵌合によって比較的強固に連結されていることにより、これらが容易に分解されるということもない。
【００１４】
以上のように、本発明によれば、第１凸部及び第２凹部の存在により、カバー及びプレートの正確な位置決めを前提とした両者の組み付け作業を、比較的容易に行うことができるとともに、組み付け後の両者間の分解防止を図ることもできる。
【００１５】
また、このようにカバー及びプレートの正確な組み付けが可能であり、その分解も容易には起こりえないということから、本発明に係る実装ケース入り電気光学装置においては、実装ケース内における電気光学装置の位置決めも正確に行われ得、更には、実装ケース及び電気光学装置が相異なる線膨張係数を有し、それぞれが異なる度合いで膨張又は収縮する場合が考えられるとしても、実装ケース内において電気光学装置の位置ずれが生じるという事態を有効に防止することが可能となる。したがって、本発明によれば、周囲の温度環境にかかわらず、高品質な画像表示が可能となる。
【００１６】
本発明の実装ケース入り電気光学装置の一態様では、前記第２凹部又は前記第２凸部は、それぞれ、前記プレートにおいて併せて２個以上形成された凹部又は凸部を含んでいる。
【００１７】
この態様によれば、プレートにおける第２凹部は、２個以上形成された凹部を含んでいる。これに応じて、第２凹部に嵌合される第１凸部には、２個以上形成された凸部が含まれ得ることになる。この場合、前述したカバー及びプレートの位置決めは、複数の凸部に複数の凹部を嵌合させることに基づいて行われることになるから、この位置決めの正確さはより向上することになる。
【００１８】
したがって、本態様によれば、カバー及びプレートの正確な位置決めを前提とした両者の組み付け作業を、前記にも増して容易に行うことができる。
【００１９】
この態様では、前記２個以上形成された凹部又は凸部の中には、平面視して第１面積となる第１形状を有するものと、前記第１面積よりも大きい第２面積となる第２形状を有するものとが含まれているように構成するとよい。
【００２０】
このような構成によれば、第２凹部は、より小さい第１形状を有する凹部と、より大きい面積の第２形状を有する凹部とを含むことになる。ここでは説明を簡単にするため、第２凹部は「２個」の凹部を含むものとし、そのうちの一つが前記第１形状、他の一つが前記第２形状を有するものとする。
【００２１】
このような本態様では、カバー及びプレート間で精度上の誤差等が存在する場合においても、第２形状を有する凹部がその誤差等を吸収することが可能であることにより、両者間の組み付け作業を難なく実施することができる。これは、第２面積から第１面積を差し引いた分、カバー及びプレート間の組み付けに係る自由度が増加しているからである。
【００２２】
また、電気光学装置が温度上昇し、その熱がプレート、ひいてはカバーに伝達されることによって、カバーの温度が上昇すると、該カバーは熱膨張することが考えられる。この場合、プレート及びカバー間が全く自由度なく固着されていると、該カバーに無理な力がかかることによって、電気光学装置にも無理な力がかかり、結局、該電気光学装置の位置ずれ等を引き起こしかねない。しかるに、本態様では、前述と同じ理由により、前記のようにカバーが熱膨張しても、その変形分を第２形状を有する凹部によって吸収することができる。
【００２３】
このような構成では更に、前記第１形状は、平面視して円形状を含み、前記第２形状は、平面視して、第１半円形状、第２半円形状、並びに前記第１半円形状及び前記第２半円形状の直径部分に連接される矩形状を併せて観念される長円形状を含むように構成するとよい。
【００２４】
このような構成によれば、プレートにおける第２凹部が含む２個以上の凹部の少なくとも一つは平面視して円形状を有し、他のものは前記長円形状を有する。ここでも説明を簡単にするため、第２凹部は「２個」の凹部を含むものとし、そのうちの一つが前記円形状、他の一つが前記長円形状を有するものとする。
【００２５】
まず、本態様にいう「長円形状」とは、既述のように、第１及び第２半円形状並びにこれらに連接される矩形状を併せて観念される形である。なお、後述する本態様に係る作用効果を得る上で最適な形状の一つとしての長円形状は、矩形状の対向する二辺が前記第１及び第２半円形状の直径部分の長さに等しく、該二辺がこれら第１及び第２半円形状の直径部分に連接されて観念される形である。このような長円形状の外形は、比喩的には、陸上競技のトラックの外形にほぼ一致するものと考えることができる。
【００２６】
そして、本構成によれば、前述の作用効果が略同様に得られることに変わりはない。また、このような長円形状及び円形状となる凹部をそれぞれ含む構成は、前述の第１形状及び第２形状として最適な形態の一つということができる。
【００２７】
なお、本構成においては、前記円形状を有する凹部又は凸部と、前記長円形状を有する凹部又は凸部とは、同一の直線上にのるように形成されており、且つ、前記直線の延在方向は前記長円形状を有する凹部又は凸部の長手方向に一致するように形成されていると好ましい。
【００２８】
このような構成によれば、前述したようなカバーの熱膨張による変形を前記直線に沿うようなものとして制約することが可能となる。すなわち、カバー及びプレート間が完全に固着されることも好ましくないが、両者間の組み付けに関する自由度をあまりに大きくして、前記のカバーの熱膨張による変形をあまりに不規則なものとするのは好ましくはない。本態様においては、前述のように円形状を有する凹部又は凸部及び長円形状を有する凹部又は凸部が、一定程度の制約を伴って形成されていることから、前述のようなあまりに不規則な変形が生じることを防止できる。これにより、実装ケース内における電気光学装置の位置ずれ等の発生を、より有効に防止することができる。
【００２９】
なお、本構成の記載から逆に明らかとなるように、本発明一般においては、長円形状の凹部及び円形状の凹部とが、前記「直線上にのる」とはいえない状態、すなわちいわば「段違い」の状態で形成されていてもよい。
【００３０】
本発明の実装ケース入り電気光学装置の他の態様では、前記第２凹部は、前記プレートを貫通して設けられた貫通孔部を含む。
【００３１】
この態様によれば、第２凹部はプレートを貫通した貫通孔部を含むから、カバー及びプレートの組み付け後において、第１凸部は、この貫通孔部を貫通させた状態とさせることができる。したがって、カバー及びプレート間の固着はより確実になされることになる。また、このような貫通孔部の成形は、いわゆる盲孔（すなわちプレートを貫通しない孔、或いは有底の孔）の成形よりも容易ということができる。ただし、本発明は、第２凹部が盲孔を含む態様を積極的に排除するわけではない。前述したようなカバー及びプレート間の組み付け容易性、或いは分解困難性という作用効果は、盲孔であっても、略同様に得られるからである。なお、このようなことは、第１凹部についても同様に当てはまる。
【００３２】
本発明の実装ケース入り電気光学装置の他の態様では、前記第１凸部及び前記第２凸部の少なくとも一方の先端における角部は、まるめられている。
【００３３】
この態様によれば、第１凸部の先端部の形状は、典型的には、いわばドーム型の形状を有することになる。したがって、カバー及びプレート間の組み付け作業時には、第１凸部を第２凹部へいわば滑り込ませるようにして移動・配置することが可能となるから、第１凸部の第２凹部に対する嵌合を容易に行うことができる。
【００３４】
本発明の実装ケース入り電気光学装置の他の態様では、前記第１凹部及び前記第２凹部の少なくとも一方の縁における角部は、まるめられている。
【００３５】
この態様によれば、第２凹部の開口部の形状は、典型的には、いわばラッパ型の形状を有することになる。したがって、カバー及びプレート間の組み付け作業時には、第１凸部を第２凹部へいわば滑り込ませるようにして移動・配置することが可能となるから、第１凸部の第２凹部への嵌合を容易に行うことができる。
【００３６】
なお、この場合において、前記のように第１凸部の先端も同時にまるめられているのであれば、本態様に係る作用効果を、より効果的に享受しうることとなるのは言うまでもない。
【００３７】
本発明の実装ケース入り電気光学装置の他の態様では、前記第１凸部及び前記第２凸部の少なくとも一方は、前記カバー及び前記プレートの少なくとも一方と一体的に形成されている。
【００３８】
この態様によれば、第１凸部付きカバーの製造を、比較的容易に且つ安価に、また精度高く行うことができる。例えば、第１凸部の形状を織り込んだ上で形作られたカバー用の型等を用意し、該型を用いた鋳造等を実施すれば、第１凸部及びカバーの一体的形成を一挙に行うことができる。
【００３９】
本発明の実装ケース入り電気光学装置の他の態様では、前記第１凸部及び前記第２凸部の少なくとも一方は、前記カバー及び前記プレートの少なくとも一方と別体として形成されている。
【００４０】
この態様によれば、第１凸部は、予め別体として成形されたカバーに取り付けられることによって、第１凸部付きカバーが製造されることになる。これによると、例えば第１凸部の形状を任意に変更することが可能となるし、あるいは第１凸部の量産及びカバーの量産を別々に行った後に、後者に対する前者の取り付け工程を一挙に実施する等の手段を採用することが可能である。
【００４１】
本発明の実装ケース入り電気光学装置の他の態様では、前記カバーは、前記電気光学装置を収容するカバー本体部及び該カバー本体部に接続されてなる突端部からなり、前記第１凸部及び前記第１凹部の少なくとも一方は、前記突端部に形成されている。
【００４２】
この態様によれば、第１凸部は、電気光学装置を収容するカバー本体部ではない突端部に形成されている。これにより、第１凸部とプレートにおける第２凹部とが嵌合されることでカバー及びプレートの連結が実現されるのは、電気光学装置を収容するカバー本体部ではない場所においてということになる。
【００４３】
このようなことから、本態様においては、まず、前記連結の実現される場所は、電気光学装置から比較的離間しているということができる。また、電気光学装置を収容するカバー本体部に対する突端部であるから、例えば該突端部が一つしか存在しないと仮定すると、前記連結の実現される場所は、平面的に見て、電気光学装置の外側に存在する或る場所であるとみることができる。
【００４４】
以上のような本態様によれば、次のような作用効果が得られる。
【００４５】
すなわち、電気光学装置の温度が上昇することによって、プレート、ひいてはカバーに熱が伝達し、その温度が上昇する場合を想定すると、該カバーは熱膨張することが考えられる。この際、この熱膨張は、前記連結の実現される部位（すなわち、第１凸部の形成部位）を中心に生じることが考えられる。なぜなら、当該部位はプレートによって、その膨張に係る変形が制約を受けるからである。
【００４６】
このとき、もし当該部位が電気光学装置の近傍にあるとすると、前記連結の実現される部位とそうでない部位との間ではカバーの変形態様に相違が生じることから、実装ケース内における電気光学装置の設置位置がずれやすくなるなどという不具合の発生することが考えられる。
【００４７】
しかるに、本態様においては、前記連結の実現される場所が、電気光学装置から比較的離間した突端部に設けられていることから、前述のようにカバーが熱膨張するとしても、該カバーの変形は、電気光学装置から見ていわば辺鄙な場所に位置する突端部を中心として生じ、上述のような不具合の影響をまともに被らなくて済む。
【００４８】
また、前述のように該突端部が一つしか存在しないという場合を仮定すると、熱膨張によるカバーの変形は、電気光学装置の外側に存在する或る場所を中心として生じることになるから、この変形に起因する悪影響をより効果的にかわすことが可能である。
【００４９】
このような作用効果は、仮に、電気光学装置を挟むようにして二つの突端部が存在する場合との対照からより明らかとなる。すなわち、このような場合には、カバーの変形が制約を受ける場所が二つ存在することによって、該変形はより複雑な様相を呈することになるため、電気光学装置の位置ずれはより発生しやすくなると考えられる。この点、上述のように突端部が一つしか存在しないのであれば、電気光学装置から見て外側に位置する場所を中心としてカバーは膨張することになる。このように、カバーの熱膨張による変形を無理なくさせてやることで、かえって電気光学装置に対する影響を排除することが可能となると考えられるのである。
【００５０】
なお、このように突端部が一つしか存在しない場合であったとしても、該突端部に形成される第１凸部、或いはこれに対応するプレート上の第２凹部は、それぞれ、上述のように複数の凸部、或いは凹部を含むものであってよい。また、突端部が二つ以上あると、前述のような作用効果は絶対に得られないというわけではない。上述の説明から明らかなように、要は、カバーの熱膨張による変形を比較的自由にさせてやる、ということがポイントであるから、突端部が二つ以上存在するような場合であっても、前記の命題を満たす具体的態様（例えば、複数の突端部が、電気光学装置の一辺に沿うようにして形成されている態様など）を定めうることは当然に可能である。
【００５１】
なお、本態様において、「接続されてなる突端部」における「接続」とは、突端部及びカバー本体部が本来別々の物体であり、これらが何らかの接合手段（例えば、ビス止め、嵌め合い、溶接、固相接合等）によって連結されているような場合を含むほか、これら突端部及びカバー本体部が当初から一体的に成形されている場合をも含む。
【００５２】
ちなみに、この「突端部」は、より好適には、当該実装ケース入り電気光学装置に送られる冷却風を当該実装ケースに集中させる冷却風導入部として構成すると好ましい（後述する「発明の実施の形態」参照）。
【００５３】
本発明の実装ケースは、上記課題を解決するために、画像表示領域に光源から投射光が入射される電気光学装置の一面に対向するように配置されるプレートと、前記電気光学装置を覆い前記プレートと当接する部位を有するカバーとからなり、前記電気光学装置における前記画像表示領域の周辺に位置する周辺領域の少なくとも一部を前記プレート及び前記カバーの少なくとも一方で保持して当該電気光学装置を収納する実装ケースであって、前記カバーにおける前記当接する部位の少なくとも一部には第１凸部及び第１凹部の少なくとも一方が形成されてなり、前記プレートには前記第１凸部と嵌合可能な第２凹部及び前記第１凹部と嵌合可能な第２凸部の少なくとも一方が形成されている。
【００５４】
本発明の実装ケースによれば、前述の本発明の実装ケース入り電気光学装置を構成する実装ケースとして、好適なものを提供することができる。
【００５５】
本発明の投射型表示装置は、上記課題を解決するために、上述の本発明の実装ケース入り電気光学装置（但し、その各種態様を含む。）と、前記光源と、前記投射光を前記電気光学装置に導く光学系と、前記電気光学装置から出射される投射光を投射する投射光学系とを備えている。
【００５６】
本発明の投射型表示装置によれば、プレート及びカバー間の組み付けが容易であることから、これらを含む実装ケース入り電気光学装置を備えた、本発明に係る投射型表示装置を、容易に且つ安価に製造することが可能である。また、該プレート及びカバーの連結によって、実装ケース内における電気光学装置の設置位置を正確に決め得ることから、その設置位置ずれ等を原因とした画質劣化を招くようなことなく、高品質な画像を表示することが可能となる。
【００５７】
本発明のこのような作用及び他の利得は次に説明する実施の形態から明らかにされる。
【００５８】
【発明の実施の形態】
以下、本発明の実施の形態を図面に基づいて説明する。
【００５９】
（投射型液晶装置の実施形態）
まず、図１を参照して、本発明による投射型液晶装置の実施形態について、その光学ユニットに組み込まれている光学系を中心に説明する。本実施形態の投射型表示装置は、実装ケース入りの電気光学装置の一例たる液晶ライトバルブが３枚用いられてなる複板式カラープロジェクタとして構築されている。
【００６０】
図１において、本実施形態における複板式カラープロジェクタの一例たる、液晶プロジェクタ１１００は、駆動回路がＴＦＴアレイ基板上に搭載された電気光学装置を含む液晶ライトバルブを３個用意し、夫々ＲＧＢ用のライトバルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロイックミラー１１０８によって、ＲＧＢの３原色に対応する光成分Ｒ、Ｇ及びＢに分けられ、各色に対応するライトバルブ１００Ｒ、１００Ｇ及び１００Ｂに夫々導かれる。この際特にＢ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂにより夫々変調された３原色に対応する光成分は、ダイクロイックプリズム１１１２により再度合成された後、投射レンズ１１１４を介してスクリーン１１２０にカラー画像として投射される。
【００６１】
本実施形態のライトバルブ１００Ｒ、１００Ｇ及び１００Ｂとしては、例えば、後述の如きＴＦＴをスイッチング素子として用いたアクティブマトリクス駆動方式の液晶装置が使用される。また、当該ライトバルブ１００Ｒ、１００Ｇ及び１００Ｂは、後に詳述するように実装ケース入り電気光学装置として構成されている。
【００６２】
また、この液晶プロジェクタ１１００には、図１に示すように、ライトバルブ１００Ｒ、１００Ｇ及び１００Ｂに冷却風を送るためのシロッコファン１３００が設けられている。このシロッコファン１３００は、その側面に複数のブレード１３０１を備えた略円筒形状の部材を含んでおり、該円筒形状の部材がその軸を中心として回転することで前記ブレード１３０１が風を生じさせるようになっている。なお、このような原理から、シロッコファン１３００で作り出される風は、図１に示されるように、らせん状に渦巻いたものとなる。
【００６３】
このような風は、図１において図示されない風路を通じて各ライトバルブ１００Ｒ、１００Ｇ及び１００Ｂに送給され、各ライトバルブ１００Ｒ、１００Ｇ及び１００Ｂの近傍に設けられた吹き出し口１００ＲＷ、１００ＧＷ及び１００ＢＷから、これらライトバルブ１００Ｒ、１００Ｇ及び１００Ｂに対して送り出されるようになっている。
【００６４】
ちなみに、前述したようなシロッコファン１３００を用いれば、静圧が高くライトバルブ１００Ｒ、１００Ｇ及び１００Ｂ周囲の狭い空間にも風を送りやすいという利点が得られる。
【００６５】
以上説明した構成においては、強力な光源たるランプユニット１１０２からの投射光により各ライトバルブ１００Ｒ、１００Ｇ及び１００Ｂで温度が上昇する。この際、過度に温度が上昇してしまうと、各ライトバルブ１００Ｒ、１００Ｇ、１００Ｂを構成する液晶が劣化したり、光源光のむらによる部分的な液晶パネルの加熱によるホットスポットの出現により透過率にムラが生じたりする。そこで、本実施形態では特に、各ライトバルブ１００Ｒ、１００Ｇ、１００Ｂは、後述のように、実装ケース内における電気光学装置を効果的に冷却する手段が利用されているとともに、実装ケース及び電気光学装置が相異なる度合いで膨張又は収縮する場合が考えられるとしても、実装ケース内における電気光学装置の位置ずれが発生し難いように、カバー及びプレート間の組み付けが正確に行われるような手段が利用されている。
【００６６】
なお、本実施形態では好ましくは、液晶プロジェクタ１１００のハウジング内には、各ライトバルブ１００Ｒ、１００Ｇ、１００Ｂの周辺空間に、冷却媒体を流す循環装置等からなる冷却手段を備える。これにより、後述の如き放熱作用を持つ実装ケース入りの電気光学装置からの放熱を一層効率的に行うことができる。
【００６７】
（電気光学装置の実施形態）
次に本発明の電気光学装置に係る実施形態の全体構成について、図２及び図３を参照して説明する。ここでは、電気光学装置の一例である駆動回路内蔵型のＴＦＴアクティブマトリクス駆動方式の液晶装置を例にとる。本実施形態に係る電気光学装置は、上述した液晶プロジェクタ１１００における液晶ライトバルブ１００Ｒ、１００Ｇ、１００Ｂとして使用されるものである。ここに、図２は、ＴＦＴアレイ基板をその上に形成された各構成要素と共に対向基板の側から見た電気光学装置の平面図であり、図３は、図２のＨ−Ｈ’断面図である。
【００６８】
図２及び図３において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００６９】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。即ち、本実施形態の電気光学装置は、プロジェクタのライトバルブ用として小型で拡大表示を行うのに適している。
【００７０】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００７１】
画像表示領域の周辺に広がる領域のうち、シール材５２が配置されたシール領域の外側に位置する周辺領域には、データ線駆動回路１０１及び外部回路接続端子１０２がＴＦＴアレイ基板１０の一辺に沿って設けられており、走査線駆動回路１０４が、この一辺に隣接する２辺に沿って設けられている。更にＴＦＴアレイ基板１０の残る一辺には、画像表示領域１０ａの両側に設けられた走査線駆動回路１０４間をつなぐための複数の配線１０５が設けられている。また図２に示すように、対向基板２０の４つのコーナー部には、両基板間の上下導通端子として機能する上下導通材１０６が配置されている。他方、ＴＦＴアレイ基板１０にはこれらのコーナーに対向する領域において上下導通端子が設けられている。これらにより、ＴＦＴアレイ基板１０と対向基板２０との間で電気的な導通をとることができる。
【００７２】
図３において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００７３】
尚、図２及び図３に示したＴＦＴアレイ基板１０上には、これらのデータ線駆動回路１０１、走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００７４】
このように構成された電気光学装置の場合、その動作時には、図３の上側から強力な投射光が照射される。すると、対向基板２０、液晶層５０、ＴＦＴアレイ基板１０等における光吸収による発熱によって、当該電気光学装置の温度が上昇する。このような温度上昇は、液晶層５０等の劣化を早めると共に、表示画像の品位を劣化させる。
【００７５】
そこで、本実施形態では特に、以下に説明する実装ケース入り電気光学装置によって、このような温度上昇を効率的に抑制している。
【００７６】
（実装ケース入り電気光学装置）
次に、図４から図１１を参照して、本発明の実施形態に係る実装ケース入り電気光学装置について説明する。
【００７７】
ここではまず、図４から図１１を参照して、本実施形態に係る実装ケースの基本構成について説明する。ここに、図４は本実施形態に係る実装ケースを、前述した電気光学装置とともに示す分解斜視図であり、図５は当該実装ケース入りの電気光学装置の正面図、図６は図５のＸ１−Ｘ１´断面図、図７は図５のＹ１−Ｙ１´断面図であり、図８は図５のＺ１方向から臨んだ後面図である。また、図９は当該実装ケースを構成するプレート部の正面図、図１０は図９のＺ２方向から臨んだ後面図であり、図１１は図９のＺ３方向から臨んだ側面図である。なお、図４から図８は、電気光学装置を内部に収容した状態における実装ケースを夫々示している。
【００７８】
図４から図８に示すように、実装ケース６０１は、プレート部６１０とカバー部６２０とを備える。実装ケース６０１内に収容される電気光学装置５００は、図２及び図３に示した電気光学装置に加えて、その表面に重ねられた反射防止板等の他の光学要素とを備えてなり、更にその外部回路接続端子にフレキシブルコネクタ５０１が接続されてなる。尚、偏光板や位相差板は、液晶プロジェクタ１１００の光学系に備えるようにしても良いし、電気光学装置５００の表面に重ねてもよい。
【００７９】
また、ＴＦＴアレイ基板１０及び対向基板２０それぞれの液晶層５０に対向しない側には、防塵用基板４００が設けられている（図４及び図６参照）。この防塵用基板４００は、所定の厚さを有するよう構成されている。これにより、電気光学装置５００の周囲に漂うゴミや埃等が、該電気光学装置の表面に直接に付着することが防止される。したがって、拡大投射された画像上に、これらゴミや埃の像が結ばれるという不具合を有効に解消することができる。これは、防塵用基板４００が所定の厚さを有することで、光源光の焦点ないしその近傍が、該ゴミや埃が存在する位置（すなわち、防塵用基板４００表面）からは外れることによる（デフォーカス作用）。
【００８０】
このようにＴＦＴアレイ基板１０及び対向基板２０並びに防塵用基板４００等を備えた電気光学装置５００は、図４等に示すように、プレート部６１０及びカバー部６２０からなる実装ケース６０１内に収容されているが、これら電気光学装置５００及び実装ケース６０１間には、図６及び図７に示すように、モールド材６３０が装填されている。このモールド材６３０によって、電気光学装置５００及び実装ケース６０１間の接着が確実に行われるとともに、前者の後者の内部における位置ずれの発生が極力防止される。
【００８１】
なお、本実施形態においては、カバー部６２０の側から光が入射し、電気光学装置５００を透過して、プレート部６１０の側から出射するということを前提とする。つまり、図１でいえば、ダイクロイックプリズム１１１２に対向するのは、カバー部６２０ではなくて、プレート部６１０ということになる。
【００８２】
さて、以下では実装ケース６０１を構成するプレート部６１０及びカバー部６２０の構成についてのより詳細な説明を行う。
【００８３】
まず第一に、プレート部６１０は、図４から図１１に示すように、平面視して略四辺形状を有する部材であって、電気光学装置５００の一面に対向するように配置される。本実施形態では、プレート部６１０と電気光学装置５００とは相互に直接に当接し、後者が前者に載置されるが如き状態が採られる。
【００８４】
より詳細には、プレート部６１０は、窓部６１５、折り曲げ部６１３、強度補強部６１４、取付孔６１１ａ乃至６１１ｄ及び６１１ｅ、並びにカバー部固定孔６１２を有する。
【００８５】
窓部６１５は、略四辺形状を有する部材の一部が開口形状に形成されており、例えば図６中、上方から下方への光の透過を可能とする部分である。電気光学装置５００を透過してきた光の出射は、この窓部６１５によって可能となる。なお、これにより、プレート部６１０上に電気光学装置５００を載置した場合には、該電気光学装置５００における画像表示領域１０ａの周辺に位置する周辺領域が、窓部６１５の辺縁に当接されるが如き状態になる。プレート部６１０は、このようにして電気光学装置５００の保持を実現する。
【００８６】
折り曲げ部６１３は、略四辺形状を有する部材の対向する二辺それぞれの一部が、該四辺形状の内側に向かって折り曲げられている部分である。この折り曲げ部６１３の外側面は、プレート部６１０及びカバー部６２０の組み付け時、該カバー部６２０の内側面に接するようにされている（図６参照）。また、該折り曲げ部６１３の内側面は、モールド材６３０を介して電気光学装置５００の外側面に接するようにされている（同じく図６参照）。これにより、プレート部６１０上における電気光学装置５００のある程度の位置決めが実現されることになる。
【００８７】
加えて、折り曲げ部６１３の内側面が、モールド材６３０を介して電気光学装置５００の外側面に接するようにされていることは、後者から前者への熱の吸い上げを可能とする。すなわち、プレート部６１０を、電気光学装置５００に対するヒートシンクとして機能させることが可能となる。これによれば、ランプユニット１１０２による電気光学装置５００に対する強力な光照射によって、該電気光学装置５００における熱の蓄積の生じることを有効に防止することができる。また、該折り曲げ部６１３の外側面は、前述のようにカバー部６２０の内側面に接していることから、前者から後者への熱の伝達も実現されることになる。このように、電気光学装置５００からの熱の奪取は、原理的には、プレート部６１０及びカバー部６２０の双方において観念される熱容量の分だけ行い得るから、当該電気光学装置５００の冷却は、極めて有効に行われることになる。
【００８８】
強度補強部６１４は、略四辺形状を有する部材の一部を、他の部分の平面からみて盛り上げるような加工を施すことによって形成されており、立体的な形状を有する部分である。これにより、該プレート部６１４の強度は補強されることになる。なお、該強度補強部６１４は、電気光学装置５００の一辺に略接するが如き位置に形成するとよい（図７参照。ただし、図７では、両者は厳密には接していない。）。これによると、前記折り曲げ部６１３に加えて、この強度補強部６１４によっても、プレート部６１０上における電気光学装置５００のある程度の位置決めが実現されることになる。
【００８９】
最後に、取付孔６１１ａ乃至６１１ｄは、当該実装ケース入り電気光学装置を、図１に示した如き液晶プロジェクタ１１００内に取り付けする際に利用される。本実施形態においては、該取付孔６１１ａ乃至６１１ｄは、略四辺形状を有する部材の四隅に設けられている。また、本実施形態では、該取付孔６１１ａ乃至６１１ｄの他に、取付孔６１１ｅが設けられている。この取付孔６１１ｅは、前記の取付孔６１１ａ乃至６１１ｄのうち、取付孔６１１ｃ及び６１１ｄとともに、三角形を形作るように配置されている（すなわち、取付孔６１１ｅ、６１１ｃ及び６１１ｄは、三角形の「各頂点」に配置されるように形成されている。）。これにより、本実施形態では、四隅の取付孔６１１ａ乃至６１１ｄを用いた四点固定を実施すること、及び、取付孔６１１ｅ、６１１ｃ及び６１１ｄを用いた三点固定を実施することの双方が可能となっている。
【００９０】
そして、本実施形態においては特に、このプレート部６１０には、カバー部固定孔６１２が形成されているが、この点については、後に説明することとする。
【００９１】
次に第二に、カバー部６２０は、図４から図１１に示すように、略立方体形状を有する部材であって、電気光学装置５００の他の面に対向するように配置される。
【００９２】
このカバー部６２０は、電気光学装置５００の周辺領域における光抜けを防止すると共に周辺領域から迷光が画像表示領域１０ａ内に進入するのを防ぐように、好ましくは遮光性の樹脂、金属製等からなる。また、該カバー部６２０は、プレート部６１０、或いは電気光学装置５００に対するヒートシンクとして機能させることが好ましいから、該カバー部６２０は、熱伝導率の比較的大きい材料、より具体的には、アルミニウム、マグネシウム、銅又はこれらそれぞれの合金等から構成するようにするとよい。
【００９３】
より詳細には、カバー部６２０は、カバー本体部６２３、冷却風導入部６２２、冷却風排出部６２４及び凸部６１２を有する。
【００９４】
カバー本体部６２３は、図４から図７に示されているように、概略、直方体形状を有する部材であって、後述する冷却風導入部６２２及び冷却風排出部６２４間に挟まれるようにして存在している。ただし、前記の直方体形状の内方は、電気光学装置５００を収容するため、いわばくり抜かれたような状態となっている。すなわち、カバー本体部６２３は、より正確にいえば、蓋なき箱型の如き形状を有する部材となっている（なお、このような表現によれば、ここにいう「蓋」としては、前記プレート部６１０が該当すると考えることができる。）。
【００９５】
このカバー本体部６２３は、より詳細には、窓部６２５及びサイドフィン部６２７を有している。このうち窓部６２５は、前記箱型の形状の底面（図４、あるいは図６等では、「上面」ということになる。）が開口形状に形成されており、図６中、上方から下方への光の透過を可能とする部分である。図１に示した液晶プロジェクタ１１００内のランプユニット１１０２から発せられた光は、この窓部６２５を通過して電気光学装置５００に入射可能となる。なお、このような窓部６２５を有するカバー本体部６２３においては、プレート部６１０における窓部６１５に関して述べたのと同様に、電気光学装置５００における画像表示領域１０ａの周辺に位置する周辺領域を、窓部６２５の辺縁に当接させるように構成してよい。これによれば、カバー本体部６２３、特にその窓部６２５の辺縁によっても、電気光学装置５００の保持を実現することが可能となる。
【００９６】
他方、サイドフィン部６２７は、カバー本体部６２３の両側面に形成されている。ここにいう両側面とは、後述する冷却風導入部６２２及び冷却風排出部６２４が存在しない側面のことをいう。このサイドフィン部６２７は、より詳しくは、図４、あるいは図６等によく示されているように、冷却風導入部６２２から冷却風排出部６２４へ向けて、前記側面から直線状に突出した部分が複数並列（図４等では、一側面につき「二つ」の直線状に突出した部分が並列）された形状を含んでいる。これにより、カバー本体部６２３、ないしはカバー部６２０の表面積は増大することになる。
【００９７】
なお、既に述べたように、カバー部６２０の内側面には、カバー部６２０及びプレート部６１０の組み付け時、プレート部６１０における折り曲げ部６１３の外側面が接するようにされている（図６参照）。この場合、前記「カバー部６２０の内側面」とは、カバー本体部６２３の内側面に該当する。
【００９８】
冷却風導入部６２２は、図４、或いは図７等によく示されているように、テーパ部６２２Ｔ及び導風板６２２Ｐからなる。本実施形態において、テーパ部６２２Tは、概略、その底面が直角三角形となる三角柱の如き外形を有している。そして、テーパ部６２２Ｔは、カバー本体部６２３の一側面に、前記三角柱の一側面が付着されたような外形を呈している。この場合、当該三角柱の一側面は、該三角柱の底面における直角部とこれに隣接する角部との間に挟まれた辺を含んでいる。したがって、テーパ部６２２Ｔは、カバー本体部６２３の側面上において最大高さとなる根元部６２２Ｔ１を有し（ただし、ここでいう「高さ」とは、図７中、上下方向の距離をいう。図７では目安として当該方向に延びる破線を示した。）、そこから次第に高さを減じた先端部６２２Ｔ２を有するという形状となっている。一方、導風板６２２Ｐは、前記三角柱の底面において直角部を除く他の二角に挟まれた一辺に沿って立設された壁の如き外形を呈している。前記「高さ」を用いて説明すると、該導風板６２２Ｐの高さは、前記根元部６２２Ｔ１から前記先端部６２２Ｔ２へ向けてテーパ部６２２Ｔの高さが減ずるにもかかわらず、これら根元部６２２Ｔ１及び先端部６２２Ｔ２間のどの部分においても一定である。
【００９９】
最後に、冷却風排出部６２４は、図４、図５、或いは図８等によく示されているように、フレキシブルコネクタ導出部６２４Ｃ及びリアフィン部６２４Ｆからなる。このうちフレキシブルコネクタ導出部６２４Ｃは、前記テーパ部６２２Ｔが形成されているカバー本体部６２３の側面に対向する側面上に形成されている。より具体的には、図８に示すように、該側面上に、断面がコの字状となる部材が、該コの字状断面の開口部を図８中下方に向けて取り付けられたような形状を呈している。電気光学装置に接続されたフレキシブルコネクタ５０１は、このコの字に囲われた空間を抜けて、外部へと引き出されるようになっている。
【０１００】
他方、リアフィン部６２４Ｆは、フレキシブルコネクタ導出部６２４Ｃにおける前記コの字状断面のいわば天井板上に設けられている。このリアフィン部６２４Ｆは、より詳しくは、図４、図５、或いは図８等によく示されているように、前述したサイドフィン部６２７たる直線状の突出した部分が延在する方向と符号を合わせるように、前記天井板から直線状に突出した部分が複数並列（図４等では、「四つ」の直線状に突出した部分が並列）された形状を含んでいる。これにより、カバー部６２０の表面積は増大することになる。
【０１０１】
そして、本実施形態においては特に、このカバー部６２０には、既述のカバー部固定孔６１２と嵌合可能に形成された凸部６２１が形成されている。この点については、後に説明することとする。
【０１０２】
カバー部６２０が以上のような構成をとることにより、図１に示した如き液晶プロジェクタ１１００に備えられたシロッコファン１３００から送られてきた風は、実装ケース６０１、ないしカバー部６２０の周囲において、図１２に示すように流れることになる。ここに図１２は実装ケース入り電気光学装置の斜視図であって、当該実装ケース入り電気光学装置に対する典型的な風の流れ方を示す図である。なお、図１に示した液晶プロジェクタ１１００において、図１２に示すような冷却風の流れを実現するためには、図１を参照して説明した吹き出し口１００ＲＷ、１００ＧＷ及び１００ＢＷが、カバー６２０を構成する冷却風導入部６２２と対向するように、実装ケース入り電気光学装置、すなわちライトバルブ１００Ｒ、１００Ｇ及び１００Ｂを設置する必要がある。
【０１０３】
まず、冷却風は、冷却風導入部６２２のテーパ部６２２Ｔをあたかも駆け上がるようにして、電気光学装置５００の表面が露出するカバー本体部６２３へと吹き抜けることになる（符号Ｗ１参照）。また、冷却風導入部６２２には、導風板６２２Ｐが設けられていることにより、冷却風がどの方向からきても、その大部分をテーパ部６２２Ｔ上、ひいてはカバー本体部６２３へと導くことが可能となっている（符号Ｗ２参照）。このように、本実施形態によれば、カバー本体部６２３へ向けて風を効率よく送り出すことが可能となっており、電気光学装置５００で発生した熱を直接的に奪う（即ち、冷却する）ことが可能な他、カバー部６２０に蓄えられた熱をも効率的に奪うことができる。
【０１０４】
また、冷却風導入部６２２の導風板６２２Ｐの外側（すなわち、テーパ部６２２Ｔに対向しない側）にあたった風、或いは前記のように電気光学装置５００の表面ないしその近傍に至った後、カバー本体部６２３の側面に流れる風等は、サイドフィン部６２７に至ることになる（符号Ｗ３参照）。このサイドフィン部６２７では、上述のように直線状の突出した部分が備えられており、カバー本体部６２３の表面積が増大されていることから、当該カバー本体部６２３ないしカバー部６２０の効率的な冷却を実現することができる。さらに、前記のように電気光学装置５００の表面ないしその近傍に至った後、そのままカバー本体部６２３の後端へ抜ける風等は、リアフィン部６２４Ｆに至ることになる（符号Ｗ１参照）。このリアフィン部６２４Ｆでは、上述のように直線状の突出した部分が備えられ、冷却風導出部６２４の表面積が増大されていることから、当該冷却風導出部６２４ないしカバー部６２０の効率的な冷却を実現することができる。
【０１０５】
以上のように、本実施形態に係る実装ケース６０１では、総じて、冷却風による効率的な冷却が実現されるようになっている。そして、このことは、前述のように電気光学装置５００、プレート部６１０及びカバー部６２０の順に伝達される熱を、最終的に外部へと放散するのに非常に有効である。また、カバー部６２０が効率的に冷却されるということは、電気光学装置５００から折り曲げ部６１３等を介してプレート部６１０に、あるいはカバー部６２０へという熱の流れを、いつでも有効に維持しうることを意味する。すなわち、カバー部６２０は、常態において好適に冷却された状態にあるから、ヒートシンクとしての機能をいつでも有効に維持することにより、該カバー部６２０からみて、プレート部６１０からの熱の奪取、ひいては電気光学装置５００からの熱の奪取をいつでも有効に行い得るのである。
【０１０６】
よって、本実施形態に係る電気光学装置５００は、過剰に熱を蓄えこむということがないから、液晶層５０の劣化、あるいはホットスポットの発生等は未然に防止されることになり、これに基づく画像の劣化等を招くおそれは極めて低減されることになる。
【０１０７】
（カバー部固定孔とこれに嵌合可能な凸部の構成及び作用）
以下では、プレート部６１０に関する説明時に触れたカバー部固定孔６１２、及びこれに嵌合可能に形成され、カバー部６２０に関する説明時に触れた凸部６２１の構成及び作用・効果について詳細に説明することとする。
【０１０８】
まず、プレート部６１０に形成されるカバー部固定孔６１２（本発明にいう「第２凹部」に該当する。）は、カバー部６２０において対応する位置に形成される凸部６２１と嵌合するための孔部である。このカバー部固定孔６１２は、図７の円内部分に示すように、プレート部６１０を貫通するように形成されている。なお、図１３には、図７の円内部分を拡大した図を示した。
【０１０９】
また、本実施形態においては、該カバー部固定孔６１２は、例えば図９に示されるように、二つの孔部６１２ａ及び６１２ｂ（本発明にいう「２個以上形成された凹部」に該当する。）からなる。このうち一方の孔部６１２ａはより大きな面積となる長円形状となっており、他方の孔部６１２ｂはより小さな面積となる円形状となっている。ここで長円形状とは、後に参照する図１４に示すように、第１半円形状ｐ及び第２半円形状ｑ並びにこれらに連接される矩形状ｒを併せて観念される形である。本実施形態においては、矩形状ｒの対向する二辺が前記第１及び第２半円形状ｐ及びｑの直径部分ｐｄ及びｑｄの長さに等しく、該二辺がこれら直径部分ｐｄ及びｑｄに連接された形となっている。このような長円形状の外形は、比喩的には、陸上競技のトラックの外形にほぼ一致するものと考えることができる。また、これら二つの孔部６１２ａ及び６１２ｂは、長円形状の孔部６１２ａの長手方向に延在する直線上に存在するように形成されている。
【０１１０】
他方、カバー部６２０に形成される凸部６２１（本発明にいう「第１凸部」に該当する。）は、前記の孔部６１２ａ及び６１２ｂそれぞれに対応する位置に、二つの突起部６２１ａ及び６２１ｂ（本発明にいう「２個以上形成された凸部」に該当する。）を含むものとして形成されている。これら突起部６２１ａ及び６２１ｂは、いずれも、平面視して円形状を有している。
【０１１１】
また、本実施形態に係る突起部６２１ａ及び６２１は、図１３又は後に参照する図１４に示されているように、その先端部の形状は、いわばドーム型のようになっている。これは、当該先端部の角部が、まるめられていることによる。
【０１１２】
さらに、本実施形態に係る凸部６２１は、図５に示されるように、冷却風導入部６２２（本発明にいう「突端部」に該当する。）、ないしは前述したテーパ部６２２Ｔの一部を構成するようにして形成されている（図５の視点からは、本来凸部６２１は図示され得ないが、図５では特にこれを示した。）。この冷却風導入部６２２ないしテーパ部６２２Ｔは、前述のように、カバー本体部６２３から延設されるような形で形成されており、電気光学装置５００、或いは該電気光学装置５００を収容するカバー本体部６２３からみて、いわば外寄りに形成されたものとなっている。したがって、突起部６２１ａ及び６２１ｂ、或いはこれに嵌合されることとなる前記の孔部６１２ａ及び６１２ｂもまた、同じ視点からみて外側に存在しているということができる。ちなみに、本実施形態では、凸部６２１は、冷却風導入部６２２、テーパ部６２２Ｔ、ないしはカバー部６２０と一体的に成形されている。なお、本発明にいうプレート部６１０と「当接する部位の少なくとも一部」は、本実施形態において、テーパ部６２２Ｔを説明するために導入した、前述の三角柱の一側面６２２Ｆ（図７参照）が、それに該当する。
【０１１３】
本実施形態において、プレート部６１０及びカバー部６２０とは、このようなカバー部固定孔６１２及び凸部６２１が互いに嵌合すること、すなわち長円形状の孔部６１２ａは突起部６２１ａに、円形状の孔部６１２ｂは突起部６２１ｂにそれぞれ嵌合することによって、相互に固定されることになる（図７の円内部分又は図１３参照）。
【０１１４】
以上のような構成となるカバー部固定孔６１２及び凸部６２１によれば、以下のような作用効果が得られることになる。まず第一に、このようなカバー部固定孔６１２及び凸部６２１を利用することにより、カバー部６２０及びプレート部６１０の組み付けを容易且つ正確に行うことができる。しかも、本実施形態においては、カバー部固定孔６１２が、二つの孔部６１２ａ及び６１２ｂを含んでいること、更にはそのうちの一つは長円形状の孔部６１２ａとされていることから、前記の容易性及び正確性は、より促進されることになる。
【０１１５】
以下では、このような事情を、図１４を参照して説明することとする。ここに図１４は、本実施形態に係るプレート部６１０に対して、カバー部６２０を組み付ける作業の一例を、順を追って示す工程図である。ただし、図１４においては、カバー部固定孔６１２及び凸部６２１のみを拡大して示すとともに、これらの動きのみを示し、プレート部６１０の全体やカバー部６２０全体の動き等の図示については省略した。
【０１１６】
まず、図１４の工程（１）に示すように、前記長円形状の孔部６１２ａに、突起部６２１ａを嵌合させるように、カバー部６２０を配置する。次に、円形状の孔部６１２ｂに、突起部６２１ｂを嵌合させ得るような、カバー部６２０の位置を探索する。この際においては、図１４の工程（１）中に両矢印でもって表されているように、長円形状の孔部６１２ａ内を突起部６２１ａをすべらせるようにカバー部６２０を移動しながら、円形状の孔部６１２ｂと突起部６２１ｂとの嵌合位置を探るようにすればよい。なお、本実施形態においては、二つの孔部６１２ａ及び６１２ｂは、長円形状の孔部６１２ａの長手方向に沿った直線上にのるように形成されていることから、円形状の孔部６１２ｂ及び突起部６２１ｂは、図１４の工程（１）に示す両矢印の方向に一致した直線上に存在する。したがって、前記探索作業に困難さが伴うようなことはなく、極めて容易に、前記嵌合位置を探し当てることができる。
【０１１７】
そして、この嵌合位置が定まったら、図１４の工程（２）に示すように、円形状の孔部６１２ｂと突起部６２１ｂとを嵌合させる。なお、この際、突起部６２１ｂの先端部は、前述のようにドーム状とされていたから、前記の嵌合位置につき多少の「ずれ」があったとしても、突起部６２１ｂは、円形状の孔部６１２ｂにスムースに嵌め合わされることになる。
【０１１８】
なお、上述とは逆に、先に、円形状の孔部６１２ｂ及び突起部６２１ｂの嵌合を行い、後に、長円形状の孔部６１２ａ及び突起部６２１ａを嵌合するという作業としてもよい。むろん同時でもよい。
【０１１９】
いずれにせよ、このような組み付け作業においては、以下のような作用効果が奏される。すなわち、カバー部６２０及びプレート部６１０間で精度上の誤差が存在する場合等においても、長円形状の孔部６１２ａがその誤差を吸収することが可能であることにより（図１４の工程（１）及び（２）中の破線及び図１４の工程（１）中の両矢印参照）、両者間の組み付け作業を難なく実施することができる。これは、長円形状の孔部６１２ａの面積から円形状の孔部６１２ｂの面積を差し引いた分、カバー部６２０及びプレート部６１０間の組み付けに係る自由度が増加しているからである。なお、このような事情は、プレート部６１０に比べてカバー部６２０の方がより熱膨張した状態となっているなどという場合にも当てはまる。
【０１２０】
以上述べたように、本実施形態によれば結局、カバー部６２０及びプレート部６１０間の組み付け作業を容易に実施することができる。また、このような容易な作業であるにもかかわらず、カバー部６２０及びプレート部６１０間の相対的な位置決めは、極めて正確に行われる。さらには、前記のような組み付け作業後、カバー部６２０とプレート部６１０とは、カバー部固定孔６１２及び凸部６２１間の嵌合によって比較的強固に連結されていることにより、これらが容易に分解されるということもない。
【０１２１】
また、このようにカバー部６２０及びプレート部６１０の正確な組み付けが可能であり、その分解も容易には起こりえないということから、本実施形態に係る実装ケース入り電気光学装置においては、実装ケース６０１内における電気光学装置５００の位置決めも正確に行われ得、更には、実装ケース６０１及び電気光学装置５００が相異なる線膨張係数を有し、それぞれが異なる度合いで膨張又は収縮する場合が考えられるとしても、実装ケース６０１内において電気光学装置５００の位置ずれが生じるという事態を有効に防止することが可能となる。したがって、本実施形態によれば、周囲の温度環境にかかわらず、高品質な画像表示が可能となる。
【０１２２】
ちなみに、このような電気光学装置５００、ひいてはカバー部６２０の温度上昇にかかわる問題に関連して、本実施形態では特に、次の二つの作用効果が奏される。
【０１２３】
すなわち、第一に、電気光学装置５００が温度上昇し、その熱がプレート部６１０、ひいてはカバー部６２０に伝達されることによって、カバー部６２０の温度が上昇すると、該カバー部６２０は熱膨張することが考えられる。この場合、プレート部６１０及びカバー部６２０間が全く自由度なく固着されていると、電気光学装置５００の位置ずれ等を引き起こしかねない。しかるに、本実施形態では、前記のようにカバー部６２０が熱膨張しても、図１５に示すように、その変形分を長円形状の孔部６１２ａによって吸収することができる（図中破線及び両矢印参照）。したがって、本実施形態によれば、カバー部６２０の熱膨張に起因する、実装ケース６０１内での電気光学装置５００の位置ずれ等について殆ど懸念する必要がない。
【０１２４】
また第二に、凸部６２１がカバー部６２０における冷却風導入部６２２に形成されていること、換言すれば、カバー部６２０とプレート部６１０との固定は、電気光学装置５００からみて外寄りの場所で行われることによって、次のような作用効果が得られる。すなわち、電気光学装置５００の温度が上昇すると、前述のように、カバー部６２０は熱膨張することが考えられる。この際、この熱膨張は、カバー部固定孔６１２及び凸部６２１の嵌合位置を中心に生じることが考えられる。なぜなら、当該部位はプレート部６１０によって、その膨張に係る変形が制約を受けるからである。
【０１２５】
このとき、もし当該部位が電気光学装置５００の近傍にあるとすると、前記嵌合位置とそうでない場所との間ではカバーの変形態様に相違が生じることから、実装ケース６０１内における電気光学装置５００の設置位置がずれやすくなるなどという不具合の発生することが考えられる。
【０１２６】
しかるに、本実施形態においては、前記嵌合位置が、電気光学装置５００からみて外寄りの場所に位置し、且つ、比較的離間した冷却風導入部６２２に設けられていることから、前述のようにカバー部６２０が熱膨張するとしても、該カバー部６２０の変形は、図１６に概念的に示すように、この冷却風導入部６２２を中心として生じることとなり、上述のような不具合の影響をまともに被らなくて済む。なお、図１６において、矢印で示されているのが、熱膨張による変形の方向を表している。
【０１２７】
また、本実施形態においては、冷却風導入部６２２は一つしか存在しないから、熱膨張によるカバー部６２０の変形は、電気光学装置５００の外側に存在する当該冷却風導入部６２２が存在する場所を中心として生じることになり（図１６参照）、この変形に起因する悪影響をより効果的にかわすことが可能である。
【０１２８】
さらには前述の長円形状の孔部６１２ａ及び円形状の孔部６１２ｂは同一の直線上に乗るように形成されていることから、図１６に示したような熱膨張は、ある程度制約を受けることになる。この点、前述のように比較的自由に熱膨張させることも重要であるが、あまりに不規則な変形が生じることは、電気光学装置５００の位置ずれ防止にとって好ましくないことからすると、本実施形態に係る長円形状の孔部６１２ａ及び突起部６２１ａ間の嵌合と、円形状の孔部６１２ｂ及び突起部６２１ｂ間の嵌合とが、同一直線上においてなされていることは、前記不規則な変形の防止、ひいては電気光学装置５００の位置ずれ防止にとって有効である。
【０１２９】
なお、上記実施形態においては、カバー部固定孔６１２及び凸部６２１は、それぞれ、二つの孔部６１２ａ及び６１２ｂ、二つの突起部６２１ａ及び６２１ｂを含むものとされていたが、本発明は、このような形態に限定されない。例えば、カバー部固定孔６１２及び凸部６２１が、それぞれ一つずつの孔部及び突起部を備えるような形態、或いはそれぞれ３個以上の孔部及び突起部を備えるような形態も、本発明の範囲内にある。
【０１３０】
また第二に、本実施形態に係る孔部６１２ａ及び６１２ｂは、プレート部６１０を貫通するように形成されていたが、これに代えて、図１７に示すように、有底の孔部６１２Ｐを採用してもよい。なお、図１７は、図１３と同趣旨の図であって、カバー部固定孔６１２として有底の孔部６１２Ｐが形成されているとともに、これに嵌合される凸部６２１として前記有底の孔部の深さに対応した突起部６２１Ｐが形成されている態様について示すものである。
【０１３１】
第三に、上記実施形態では、突起部６２１ａ及び６２１ｂの先端部をまるめる形態について説明したが、これに代えて又は併せて、孔部６１２ａ及び６１２ｂの縁をまるめる形態としてよい。これによれば、前記の図１４の工程（１）、或いは図１４の工程（２）における嵌合作業をより容易に行うことができる。
【０１３２】
第四に、上記実施形態においては、凸部６２１は、カバー部６２０に一体的に形成されている形態について説明したが、これに代えて、凸部及びカバー部６２０それぞれを別体として形成し、これらを組み付けることによって凸部を形成するような形態としてもよい。
【０１３３】
第五に、上記実施形態においては、カバー部６２０の側に凸部６２１が形成され、プレート部６１０の側に第２凹部の一例たるカバー部固定孔６１２が形成されていたが、これとは逆に、図１８に示すように、カバー部６２０の側に、本発明にいう第１凹部の一例たるプレート部固定孔６８０、プレート部６１０の側に、本発明にいう第２凸部の一例たる凸部６９０を形成するようにしてもよい。なお、図１８は、図１３と同趣旨の図であって、かかる態様について示すものである。
【０１３４】
本発明は、上述した実施形態に限られるものではなく、請求の範囲及び明細書全体から読み取れる発明の要旨、あるいは思想に反しない範囲で適宜変更可能であり、そのような変更を伴う実装ケース入り電気光学装置及び投射型表示装置並びに実装ケースもまた、本発明の技術的範囲に含まれるものである。電気光学装置としては液晶パネルの他に、電気泳動装置やエレクトロルミネッセンス装置等にも適用できる。
【図面の簡単な説明】
【図１】本発明に係る投射型液晶装置の実施形態の平面図である。
【図２】本発明に係る電気光学装置の実施形態の平面図である。
【図３】図２のＨ−Ｈ′断面図である。
【図４】本発明の実施形態に係る実装ケースを、電気光学装置とともに示す分解斜視図である。
【図５】本発明の実施形態に係る実装ケース入り電気光学装置の正面図である。
【図６】図５のＸ１−Ｘ１´断面図である。
【図７】図５のＹ１−Ｙ１´断面図である。
【図８】図５のＺ１方向から臨んだ後面図である。
【図９】本発明の実施形態に係る実装ケースを構成するプレート部の正面図である。
【図１０】図９のＺ２方向から臨んだ後面図である。
【図１１】図９のＺ３方向から臨んだ側面図である。
【図１２】本発明の実施形態に係る実装ケース入り電気光学装置の斜視図であって、当該実装ケース入り電気光学装置に対する風の流れを示す図である。
【図１３】図７の円内部分を拡大した拡大図である。
【図１４】本実施形態に係るプレート部に対して、カバー部を組み付ける作業を、順を追って示す工程図である。
【図１５】カバー部の熱膨張による変形を、長円形状の孔部が吸収することを説明するための説明図である。
【図１６】カバー部の熱膨張による変形が、カバー部固定孔及び凸部の嵌合位置を中心として生じることを説明するための説明図である。
【図１７】図１３と同趣旨の図であって、カバー部固定孔として有底の孔部が形成されているとともに、これに嵌合される凸部として前記有底の孔部の深さに対応した突起部が形成されている態様について示すものである。
【図１８】図１３と同趣旨の図であって、カバー部の側にプレート部固定孔、プレート部の側に凸部が形成されている態様について示すものである。
【符号の説明】
１０…ＴＦＴアレイ基板、２０…対向基板、４００…防塵用基板、５０…液晶層６０１…実装ケース、
６１０…プレート部、６１２…カバー部固定孔、６１２ａ…長円形状の孔部、６１２ｂ…円形状の孔部、ｐ…第１半円形状、ｐｄ…直径部分、ｑ…第２半円形状、ｑｄ…直径部分、ｒ…矩形状、６１２Ｐ…有底の孔部、６２１Ｐ…（有底の孔部に対応する）突起部、６９０…凸部
６２０…カバー部、６２１…凸部、６２１ａ、６２１ｂ…突起部、６８０…プレート部固定孔
６２２…冷却風導入部、６２３…カバー本体部
１００Ｒ、１００Ｇ、１００Ｂ…ライトバルブ、１１００…液晶プロジェクタ、１１０２…ランプユニット
【図１】
2004198936.tif 000003
【図２】
2004198936.tif 000004
【図３】
2004198936.tif 000005
【図４】
2004198936.tif 000006
【図５】
2004198936.tif 000007
【図６】
2004198936.tif 000008
【図７】
2004198936.tif 000009
【図８】
2004198936.tif 000010
【図９】
2004198936.tif 000011
【図１０】
2004198936.tif 000012
【図１１】
2004198936.tif 000013
【図１２】
2004198936.tif 000014
【図１３】
2004198936.tif 000015
【図１４】
2004198936.tif 000016
【図１５】
2004198936.tif 000017
【図１６】
2004198936.tif 000018
【図１７】
2004198936.tif 000019
【図１８】
2004198936.tif 000020